(57)【特許請求の範囲】
【請求項１】
ユーザ機器（ＵＥ）により実行される方法であって、
前記ＵＥがソースセルからターゲットセルへのハンドオーバを実行した場合かつ前記ＵＥによるハンドオーバ指令の受信前のある最大秒数内に前記ＵＥが前記ソースセルへデバイス内共存（ＩＤＣ）標識メッセージを送信した（３０３）場合に、ターゲットセルにおいて、ＩＤＣ標識メッセージを、前回送信された（３０３）ＩＤＣ標識メッセージにおけるものと同じ内容で送信すること（２０１；３０５）、
を含む方法。
【請求項２】
前記ソースセルは、ソースｅＮＢである、請求項１に記載の方法。
【請求項３】
前回の測定レポートが送信された（３０１）後に前記ＵＥがソース拡張ＮｏｄｅＢ（ｅＮＢ）へ前記ＩＤＣ標識メッセージを送信した（３０３）場合に、ターゲットセルにおいて、前記前回送信された（３０３）ＩＤＣ標識メッセージにおけるものと同じ内容で前記ＩＤＣ標識メッセージを送信すること（３０５）、
を含む、請求項１に記載の方法。
【請求項４】
前記最大秒数は、固定的な時間である、請求項１に記載の方法。
【請求項５】
前記最大秒数は、構成可能な時間である、請求項１に記載の方法。
【請求項６】
前記ＩＤＣ標識メッセージは、ターゲットｅＮＢへと送信される（３０５）、請求項１〜５のいずれか１項に記載の方法。
【請求項７】
１つ以上のデータプロセッサ（３２）と、前記１つ以上のデータプロセッサ（３２）へ接続される１つ以上のメモリ（３４）とを伴うコントローラ（３１）を備えるユーザ機器（ＵＥ）（３０）であって、
前記１つ以上のメモリ（３４）は、前記１つ以上のデータプロセッサ（３２）において実行されると、前記ＵＥ（３０）に、
前記ＵＥがターゲットセルへのハンドオーバを実行した場合かつ前記ＵＥによるハンドオーバ指令の受信前のある最大秒数内に前記ＵＥがソースセルへデバイス内共存（ＩＤＣ）標識メッセージを送信した（３０３）場合に、ターゲットセルにおいて、ＩＤＣ標識メッセージを、前回送信されたＩＤＣ標識メッセージにおけるものと同じ内容で送信する、
ようにさせる、プログラム（３６）並びに他の情報及びデータ（３８）を記憶する、
ＵＥ（３０）。
【請求項８】
前記ソースセルは、ソースｅＮＢである、請求項７に記載のＵＥ。
【請求項９】
前記１つ以上のメモリ（３４）は、前記１つ以上のデータプロセッサ（３２）において実行されると、前記ＵＥ（３０）に、
前回の測定レポートが送信された後に前記ＵＥがソース拡張ＮｏｄｅＢ（ｅＮＢ）へ前記ＩＤＣ標識メッセージを送信した場合に、ターゲットセルにおいて、前記前回送信されたＩＤＣ標識メッセージにおけるものと同じ内容で前記ＩＤＣ標識メッセージを送信する、
ようにさせる、プログラム（３６）並びに他の情報及びデータ（３８）を記憶する、請求項７に記載のＵＥ（３０）。
【請求項１０】
前記最大秒数は、固定的な時間である、請求項７に記載のＵＥ（３０）。
【請求項１１】
前記最大秒数は、構成可能な時間である、請求項７に記載のＵＥ（３０）。
【請求項１２】
前記１つ以上のメモリ（３４）は、前記１つ以上のデータプロセッサ（３２）において実行されると、前記ＵＥ（３０）に、
前記ＩＤＣ標識メッセージを、ターゲットｅＮＢへと送信する、
ようにさせる、プログラム（３６）並びに他の情報及びデータ（３８）を記憶する、請求項７〜１１のいずれか１項に記載のＵＥ（３０）。
【発明の詳細な説明】
【技術分野】
【０００１】
本開示において説明される技術は、セルラー無線通信に関し、Ｅ−ＵＴＲＡＮ（Evolved  Universal  Terrestrial  Radio  Access  Network）について１つの非限定的な例を見出す。より具体的には、本開示は、デバイス内共存（ＩＤＣ）標識のための方法及び装置を提示する。
【背景技術】
【０００２】
本セクションは、本開示において説明される発明の多様な実施形態についての背景を提供することを意図される。ここでの説明は、追求できたかもしれない概念を含み得るが、必ずしも以前に想到され又は追求されたものではない。従って、ここで特段示さない限り、本セクションにおいて説明するものは、本開示の説明及び／又は特許請求の範囲に対する従来技術ではなく、本セクションでの単なる包含によっては従来技術として認められない。
【０００３】
図１は、モバイル通信ネットワークの３ＧＰＰ（3rd  Generation  Partnership  Project）のＬＴＥ（Long  Term  Evolution）のエアインタフェースである一例としてのＥＵＴＲＡＮの例示図である。当業者の間には知られているように、ＬＴＥ無線アクセスネットワークは、単一のタイプのノード、即ち拡張ＮｏｄｅＢ（ｅＮＢ）によるフラットなアーキテクチャを使用する。ｅＮＢは、概して、１つ又は複数の無線セル内の無線関連機能を担う。図１において見ることができるように、ｅＮＢは、Ｓ１インタフェースの手段によって、拡張パケットコア（ＥＰＣ）へと接続される。より具体的には、ｅＮＢは、Ｓ１のユーザプレーン部分であるＳ１−ｕの手段によりサービングゲートウェイ（Ｓ−ＧＷ）へと接続されることができる。また、ｅＮＢは、Ｓ１の制御プレーン部分であるＳ１−ｃの手段によりＭＭＥ（Management  Mobility  Entity）へと接続されることができる。さらに、パケットデータネットワークゲートウェイ（ＰＤＮゲートウェイ、Ｐ−ＧＷ）は、ＥＰＣをインターネットへと接続し得る。その上、Ｘ２インタフェースは、複数のｅＮＢを互いに接続するインタフェースである。無線インタフェースアーキテクチャのより詳細な説明を文献において見出すことができ、例えば、参照書籍であるErik  Dahlman、Stefan  Parkvall及びJohan  Skoeldによる「4G  LTE/LTE-Advanced  for  Mobile  Broadband」（Academic  Press，2011，ISBN:978-0-12-385489-6，例えば第８章“Radio-Interface  Architecture”参照）内にある。
【０００４】
より多くのモバイルデバイス、スマートフォンなどが、多様なネットワークへアクセスする目的で、複数の無線送受信機を具備しており、及び具備するであろう。例えば、あるユーザ機器（ＵＥ）は、ＬＴＥ、ＷｉＦｉ及びＢｌｕｅｔｏｏｔｈ送受信機、及びＧＮＳＳ（Global  Navigation  Satellites  Systems）受信機を具備するかもしれない。互いに近接する同じＵＥ内の複数の無線送受信機が隣接する周波数又はサブハーモニックな周波数上で動作する場合、１つの無線送信機に関連付けられる送信信号が、他の無線受信機に干渉し得る。この干渉の状況を、デバイス内共存（In-Device  Coexistence）干渉シナリオ、あるいはＩＤＣ干渉状況という。
【０００５】
このＩＤＣ干渉問題あるいは干渉状況を解決するための１つのアプローチは、フィルタリングによって、共設されている無線送受信機の間のＩＤＣ干渉を最小化することである。しかしながら、これは技術的に困難かつ高価であり得るため、代替的な解決策が必要とされる。他のアプローチは、干渉信号又は信号群を周波数ドメイン又は時間ドメインのいずれかにおいて根本的に移動させ、それにより無線機の間で干渉を低減することである。
【０００６】
現在のところ、３ＧＰＰは、デバイス内共存（ＩＤＣ）干渉の回避のためのシグナリングの仕組みの標準化を進めている。その解決策の現在のステータスは、３ＧＰＰ技術仕様ＴＳ３６．３００向けの変更リクエスト（ＣＲ）Ｒ２−１２４３１１において説明されている。Ｒ２−１２４３１１は、２０１２年８月１３〜１７日の中華人民共和国青島での３ＧＰＰ会合にて提示された。Ｒ２−１２４３１１の内容は、Ａｐｐｅｎｄｉｘ  Ａ（ftp://ftp.3gpp.org/tsg_ran/WG2_RL2/TSGR2_79/Docs/R2-124311.zipも参照）においても見出すことができる。
【０００７】
ＩＤＣ干渉回避のサポートには、ＵＥと、ネットワーク、例えばｅＮＢといった基地局との間のシグナリングがある。ＩＤＣの機能性をサポートするＵＥは、そのケイパビリティをネットワークへ示し、すると、ネットワークは、ＵＥがＩＤＣ標識を送信することを許容されるかを、専用のシグナリングによって構成することができる。ＵＥは、測定オブジェクト（ＭＯ）が構成された対象のＥ−ＵＴＲＡアップリンク／ダウンリンク（ＵＬ／ＤＬ）キャリアについてのみ、ＩＤＣ標識を送信し得る。ＵＥは、ＵＥ自身によって解決不可能なレベルのＩＤＣ干渉を経験し、ネットワークの介入を要する場合、専用ＲＲＣ（無線リソース制御）を介して“ＩＤＣ標識”を送信して、ＩＤＣ干渉の問題をレポートする。ＩＤＣ標識は、好適には、潜在的な干渉の仮定又は予測に基づくよりもむしろ、サービング及び／又は非サービング周波数上の実際の進行中のＩＤＣ干渉に基づいてトリガされる。ＵＥからＩＤＣ標識のシグナリングを介してＩＤＣの問題を通知されると、ｅＮＢは、例えば、周波数分割多重（ＦＤＭ）の解決策又は時間分割多重（ＴＤＭ）の解決策を適用し得る。
【０００８】
ＦＤＭの解決策の一例は、Ｅ−ＵＴＲＡＮ内でＷＣＤＭＡ又は他の同様の技術へとインター周波数ハンドオーバを実行することにより、ＩＳＭ（industrial,  scientific  and  medical）バンドからさらに遠くへＬＴＥ信号を移動させることである。ＴＤＭの解決策の一例は、同じ時間スロット又はピリオドの期間中に無線信号の送信が他の無線信号の受信と同時発生しないことを保証することである。ＬＴＥの不連続受信（ＤＲＸ）の仕組みを使用して、ＩＤＣの課題を解決するためのＴＤＭパターン（即ち、ＵＥのＬＴＥ送受信機がスケジューリングされ得る又はスケジューリングされ得ないピリオドの集合）を提供してもよい。ＤＲＸベースのＴＤＭの解決策は、好適には、予測可能な手法で使用され、例えば、スケジューリングがなされないピリオドの予測可能なパターンをＤＲＸタイプの仕組みを用いてｅＮＢが保証する。
【０００９】
適切な解決策の選択においてｅＮＢを支援するために、ＦＤＭ及びＴＤＭの双方の解決策のためのＩＤＣ支援情報を、ＵＥによってｅＮＢへＩＤＣ標識と共に送信してもよい。ＩＤＣ支援情報は、例えば、進行中の干渉から被害を受けているＥ−ＵＴＲＡキャリアのリスト、干渉の方向、ＴＤＭパターン、若しくはサービングＥ−ＵＴＲＡキャリア上のＴＤＭ解決策のための適切なＤＲＸ構成を可能にするパラメータ、及び／又は干渉が過ぎ去ったかの標識、を含む。インターｅＮＢハンドオーバのケースでは、ＩＤＣ支援情報は、好適には、ソースｅＮＢからターゲットｅＮＢへと移管される。
【００１０】
不必要なＩＤＣ標識のシグナリングを回避するために、ＵＥがＩＤＣ標識を送信する時間インターバルを制限するための、ＩＤＣ標識禁止タイマといった禁止（prohibit）の仕組みが使用され得る。例えば、禁止タイマは、過去のＩＤＣ標識メッセージを以前に送信した後すぐに、他のＩＤＣ標識メッセージをＵＥが送信することを、禁止することができる。ＵＥは、ＩＤＣ標識を送信した際に、ＩＤＣ標識禁止タイマを開始し得る。禁止タイマが稼動中である限り、ＵＥは、概して、新たなＩＤＣ標識を送信することを許可されない。代替的に、ＩＤＣ標識禁止タイマは、全ての新たなＩＤＣ標識メッセージに適用可能であり得る。この代替案において、ＵＥは、禁止タイマのステータスに関わらず、過去にＵＥが送信したものと同じＩＤＣ標識の内容をネットワークへ送信しないようにさらに制限され得る。他の代替案は、ＩＤＣ標識禁止タイマを、以前に送信されたＩＤＣ標識メッセージから変化した内容を有するＩＤＣ標識メッセージにのみ適用する。
【発明の概要】
【発明が解決しようとする課題】
【００１１】
これらアプローチに伴う問題は、ＩＤＣ標識を、それが実際に必要とされる場合、例えばネットワークにより必要とされる場合であっても、ＵＥにより送信することができないことである。この状況を改善するために、ＩＤＣ標識禁止タイマを小さい値でタイムアウトするように構成することができるものの、短すぎるＩＤＣ標識禁止タイマ値は、貴重な無線リソースを消費する重いシグナリング負荷に加えて、ネットワークノード内の増加した計算負荷を招来し得る。
【００１２】
上の検討事項及び他の事項を視野に入れて、本発明の多様な実施形態は生み出された。
【００１３】
１つの非限定的な例としての実施形態において、ＵＥは、時間ベースのパラメータ、例えば時間分割多重（ＴＤＭ）パラメータがＩＤＣ標識メッセージ内で変化する場合に、ＩＤＣ標識禁止タイマに関わらず、ＩＤＣ標識メッセージを送信する。他の非限定的な例としての実施形態において、ＵＥは、当該ＵＥのＩＤＣ標識禁止タイマに関わらず、前回送信したＩＤＣ標識メッセージからＩＤＣ標識の同じ内容が変化していないＩＤＣ標識メッセージを送信することを許容されない。また別の例としての実施形態において、ＵＥは、ＵＥのＩＤＣ標識禁止タイマに関わらず、ターゲットｅＮＢが正確なＩＤＣ情報を受信することを保証するために、ハンドオーバ後には同じＩＤＣ標識を再送することを許可される。
【００１４】
より具体的に、第１の観点によれば、ユーザ機器（ＵＥ）により実行される方法が存在する。上記方法は、ＵＥが他のセル（これ以降、“ターゲットセル”としても言及され得る）へのハンドオーバを実行した場合に、デバイス内共存（ＩＤＣ）標識メッセージを、前回送信されたＩＤＣ標識メッセージにおけるものと同じ内容で送信すること、を含む。言い換えると、上記方法は、ＵＥが他の無線セルへのハンドオーバを実行した場合又はその際に、前回送信されたＩＤＣ標識メッセージと同じＩＤＣ標識メッセージを送信すること、を含み得る。理解されるように、上述した前回送信されたＩＤＣ標識メッセージとは、同じＵＥにより送信されたメッセージである。
【００１５】
１つの実施形態において、上記方法は、前回の測定レポートが送信された後に上記ＵＥがソース拡張ＮｏｄｅＢ（ｅＮＢ）へ上記ＩＤＣ標識メッセージを送信した場合に、ターゲットセルにおいて、上記前回送信されたＩＤＣ標識メッセージにおけるものと同じ内容で上記ＩＤＣ標識メッセージを送信すること、を含んでもよい。言い換えれば、上記方法は、ＵＥが前回の測定レポートをソース拡張ＮｏｄｅＢ（ｅＮＢ）へ送信した後に同じＵＥが同じソースｅＮＢへ上記ＩＤＣ標識メッセージを送信した場合に、ターゲットセルにおいて、上記前回送信されたＩＤＣ標識メッセージにおけるものと同じ内容で上記ＩＤＣ標識メッセージを送信すること、を含んでもよい。
【００１６】
１つの実施形態において、上記方法は、ＵＥがハンドオーバ指令（handover  command）を受信するよりも前のある最大秒数内にＵＥがソースｅＮＢへＩＤＣ標識メッセージを送信した場合に、ターゲットセルにおいて、前回送信されたＩＤＣ標識メッセージにおけるものと同じ内容でＩＤＣ標識メッセージを送信すること、を含んでもよい。上記最大秒数は、固定的な時間であってもよい。代替的に、上記最大秒数は、構成可能な時間であってもよい。上記最大秒数は、例えば、０．５、０．７５、１、１．２５、１．５又は２秒であり得る。
【００１７】
理解されるべきこととして、（ＵＥが他のセルへのハンドオーバを実行した場合に前回送信されたＩＤＣ標識メッセージにおけるものと同じ内容で送信される）ＩＤＣ標識メッセージは、ターゲットｅＮＢへ送信され得る。
【００１８】
第２の観点によれば、ユーザ機器（ＵＥ）が提供される。上記ＵＥは、１つ以上のデータプロセッサと、上記１つ以上のデータプロセッサへ接続される１つ以上のメモリとを伴うコントローラを備える。上記１つ以上のメモリは、上記１つ以上のデータプロセッサにおいて実行されると、上記ＵＥに、上記ＵＥが他のセルへのハンドオーバを実行した場合に、デバイス内共存（ＩＤＣ）標識メッセージを、前回送信されたＩＤＣ標識メッセージにおけるものと同じ内容で送信する、ようにさせる、プログラム並びに他の情報及びデータを記憶する。
【００１９】
１つの実施形態において、上記１つ以上のメモリは、上記１つ以上のデータプロセッサにおいて実行されると、上記ＵＥに、前回の測定レポートが送信された後に上記ＵＥがソース拡張ＮｏｄｅＢ（ｅＮＢ）へ上記ＩＤＣ標識メッセージを送信した場合に、ターゲットセルにおいて、上記前回送信されたＩＤＣ標識メッセージにおけるものと同じ内容で上記ＩＤＣ標識メッセージを送信する、ようにさせる、プログラム並びに他の情報及びデータを記憶する。
【００２０】
１つの実施形態において、上記１つ以上のメモリは、上記１つ以上のデータプロセッサにおいて実行されると、上記ＵＥに、上記ＵＥによるハンドオーバ指令の受信前のある最大秒数内に上記ＵＥがソースｅＮＢへ上記ＩＤＣ標識メッセージを送信した場合に、ターゲットセルにおいて、上記前回送信されたＩＤＣ標識メッセージにおけるものと同じ内容で上記ＩＤＣ標識メッセージを送信する、ようにさせる、プログラム並びに他の情報及びデータを記憶する。上記最大秒数は、固定的な時間であってもよい。代替的に、上記最大秒数は、構成可能な時間であってもよい。上記最大秒数は、例えば、０．５、０．７５、１、１．２５、１．５又は２秒であり得る。
【００２１】
１つの実施形態において、上記１つ以上のメモリは、上記１つ以上のデータプロセッサにおいて実行されると、上記ＵＥに、前回送信されたＩＤＣ標識メッセージと同じ内容を伴う上記ＩＤＣ標識メッセージを、ターゲットｅＮＢへと送信する、ようにさせる、プログラム並びに他の情報及びデータを記憶する。
【００２２】
第３の観点によれば、ユーザ機器（ＵＥ）により実行される方法が提供される。上記方法は、時間パラメータ又は周波数パラメータが変化した後にネットワークへデバイス内共存（ＩＤＣ）標識メッセージを送信すること、を含む。
【００２３】
１つの実施形態において、上記方法は、基地局（例えば、ｅＮＢ）へＩＤＣ標識メッセージを送信すること、を含んでもよい。
【００２４】
１つの実施形態において、上記時間パラメータは、時間分割多重（ＴＤＭ）パラメータである。
【００２５】
１つの実施形態において、上記周波数パラメータは、周波数分割多重（ＦＤＭ）パラメータである。
【００２６】
１つの実施形態において、上記方法は、ＩＤＣ標識禁止タイマに関わらず、ＩＤＣ標識メッセージを再送すること、を含んでもよい。例えば、上記方法は、１つ以上の時間パラメータ（例えば、ＴＤＭパラメータ）が変化した場合に、ＩＤＣ標識禁止タイマに関わらずＩＤＣ標識メッセージを再送し、但し周波数パラメータ（例えば、ＦＤＭパラメータ）が変化した場合にはそうしないこと、を含んでもよい。代替的に、上記方法は、１つ以上の周波数パラメータ（例えば、ＦＤＭパラメータ）が変化した場合に、ＩＤＣ標識禁止タイマに関わらずＩＤＣ標識メッセージを再送し、但し時間パラメータ（例えば、ＴＤＭパラメータ）が変化した場合にはそうしないこと、を含んでもよい。
【００２７】
第４の観点によれば、ユーザ機器（ＵＥ）が提供される。上記ＵＥは、１つ以上のデータプロセッサと、上記１つ以上のデータプロセッサへ接続される１つ以上のメモリとを伴うコントローラを備え、上記１つ以上のメモリは、上記１つ以上のデータプロセッサにおいて実行されると、上記ＵＥに、時間パラメータ又は周波数パラメータが変化した後にネットワーク（例えば、基地局）へデバイス内共存（ＩＤＣ）標識メッセージを送信する、ようにさせる、プログラム並びに他の情報及びデータを記憶する。
【００２８】
１つの実施形態において、上記時間パラメータは、時間分割多重（ＴＤＭ）パラメータである。
【００２９】
１つの実施形態において、上記周波数パラメータは、周波数分割多重（ＦＤＭ）パラメータである。
【００３０】
１つの実施形態において、上記１つ以上のメモリは、上記１つ以上のデータプロセッサにおいて実行されると、上記ＵＥに、ＩＤＣ標識禁止タイマに関わらず上記ＩＤＣ標識メッセージを再送する、ようにさせる、プログラム並びに他の情報及びデータを記憶してもよい。例えば、上記１つ以上のメモリは、上記１つ以上のデータプロセッサにおいて実行されると、上記ＵＥに、１つ以上の時間パラメータ（例えば、ＴＤＭパラメータ）が変化した場合に、ＩＤＣ標識禁止タイマに関わらずＩＤＣ標識メッセージを再送させ、但し周波数パラメータ（例えば、ＦＤＭパラメータ）が変化した場合にはそうさせない、プログラム並びに他の情報及びデータを記憶してもよい。代替的に、上記１つ以上のメモリは、上記１つ以上のデータプロセッサにおいて実行されると、上記ＵＥに、１つ以上の周波数パラメータ（例えば、ＦＤＭパラメータ）が変化した場合に、ＩＤＣ標識禁止タイマに関わらずＩＤＣ標識メッセージを再送させ、但し時間パラメータ（例えば、ＴＤＭパラメータ）が変化した場合にはそうさせない、プログラム並びに他の情報及びデータを記憶してもよい。
【図面の簡単な説明】
【００３１】
本発明のこれらの及び他の観点、特徴及び利点が、以下の本発明の実施形態の説明から明らかとなり解明されるであろう。次の添付図面への参照がなされる：
【００３２】
【図１】例示的なＥＵＴＲＡＮの様子を示している。
【図２】例示的な実施形態を描いた簡易シグナリング図を示しており、ＵＥは、他のセルへのハンドオーバを実行した場合に、前回のＩＤＣ標識メッセージにおけるものと同じ内容でＩＤＣ標識を送信することを可能とされる。
【図３】例示的な実施形態を描いたシグナリング図を示しており、ＵＥは、前回の測定レポートがソースｅＮＢへ送信された後に、ソースｅＮＢへ前回のＩＤＣ標識を送信した場合に、ターゲットセル（例えば、ターゲットｅＮＢ）において、前回のメッセージにおけるものと同じ内容でＩＤＣ標識を送信する。
【図４】例えばｅＮＢといった基地局の例示的な実施形態を示している。
【図５】ユーザ機器の例示的な実施形態を示している。
【発明を実施するための形態】
【００３３】
以下に、説明の目的であって限定ではない具体的な実施形態といった特定の詳細を説明する。これら特定の詳細から離れて他の実施形態を採用してもよいことは、当業者により理解されるであろう。いくつかの例において、よく知られた方法、ノード、インタフェース、回路及びデバイスの詳細な説明は、不必要な詳細で説明を曖昧にしないために省略される。当業者は、説明される機能がハードウェア回路（例えば、専用の機能を実行するために相互接続される複数のアナログの及び／若しくは離散的なロジックゲート、ＡＳＩＣ、ＰＬＡ等）において並びに／又は１つ以上のデジタルマイクロプロセッサ若しくは汎用コンピュータとの関連においてソフトウェアプログラム及びデータを用いて実装され得ることを理解するであろう。エアインタフェースを用いて通信するノードは、適切な無線通信回路をも有する。さらに、本技術は、プロセッサにここで説明される技術を遂行させるはずの適切なコンピュータ命令のセットを収容する、ソリッドステートメモリ、磁気ディスク又は光学ディスクといった任意の形式のコンピュータ読取可能なメモリ内に、全体として具現化されると追加的に考えることができる。
【００３４】
ハードウェア実装は、限定ではなく、ＤＳＰ（digital  signal  processor）ハードウェア、ＲＩＳＣ（reduced  instruction  set  processor）、限定ではないもののＡＳＩＣ（application  specific  integrated  circuit）及び／又はＦＰＧＡ（field  programmable  gate  array）を含むハードウェア（例えば、デジタル又はアナログ）回路、並びに（適切であれば）そうした機能を実行可能なステートマシンを含み又は包含し得る。
【００３５】
コンピュータ実装の点において、コンピュータは、概して、１つ以上のプロセッサ又は１つ以上のコントローラを含むものと理解され、コンピュータ、プロセッサ及びコントローラといった用語は、互換可能に採用され得る。コンピュータ、プロセッサ、又はコントローラにより提供される場合、上記機能は、単一の専用コンピュータ、プロセッサ若しくはコントローラにより、単一の共用コンピュータ、プロセッサ若しくはコントローラにより、又は、いくつかは共有され若しくは分散され得る複数の個別のコンピュータ、プロセッサ若しくはコントローラにより提供され得る。さらに、“プロセッサ”又は“コントローラ”との用語は、上で述べた例示的なハードウェアといった、上記機能を実行可能である及び／又はソフトウェアを実行可能な他のハードウェアをもいう。
【００３６】
当業者により理解されるべきこととして、“ＵＥ”は、ＵＬにおいて信号を送信すること、並びにＤＬにおいて信号を受信すること及び／又は測定すること、のうちの少なくとも１つを可能とする無線インタフェースを具備する任意の無線デバイス又はノードを含む、非限定的な用語である。ここでのＵＥは、１つ以上の周波数、キャリア周波数、コンポーネントキャリア又は周波数帯域において動作可能であり又は少なくとも測定を実行可能な、（その一般的な意味における）ＵＥを含み得る。“ＵＥ”はシングル若しくはマルチＲＡＴ又はマルチスタンダードモードで動作することがあってよい。
【００３７】
セルは、基地局に関連付けられ、基地局は、一般的な意味において、ダウンリンク（ＤＬ）において無線信号を送信し及び／又はアップリンク（ＵＬ）において無線信号を受信する任意のノードを含む。いくつかの例示的な基地局は、ｅＮｏｄｅＢ、ｅＮＢ、ＮｏｄｅＢ、マクロ／マイクロ／ピコ無線基地局、（フェムト基地局としても知られる）ホームｅＮｏｄｅＢ、リレー、リピータ、センサ、送信専用無線ノード、又は受信専用無線ノードである。基地局は、１つ以上の周波数、キャリア周波数又は周波数帯域において動作し又は少なくとも測定を実行してよく、キャリアアグリゲーション可能であり得る。基地局は、シングル無線アクセス技術（ＲＡＴ）、マルチＲＡＴ、又は、例えば様々なＲＡＴについて同じ若しくは異なるベースバンドモジュールを用いるマルチスタンダードノードであってもよい。
【００３８】
説明されるシグナリングは、ダイレクトリンク又は論理リンクのいずれかを介する（例えば、より上位のレイヤのプロトコルを介し、及び／又は１つ以上のネットワークノードを介する）。例えば、協調ノードからのシグナリングは、例えば無線ノードといった他のネットワークノードを通過し得る。
【００３９】
例示的な実施形態は、Ｅ−ＵＴＲＡＮタイプのシステムの非限定的な例としての文脈において説明される。しかしながら、本技術は、それには限定されず、任意の無線アクセスネットワーク（ＲＡＮ）、シングルＲＡＴ又はマルチＲＡＴへ適用されてよい。
【００４０】
１つの非限定的な実施形態において、ＵＥは、例えばＴＤＭパラメータといった時間パラメータ、又は例えばＦＤＭパラメータといった周波数パラメータが変化した後に、ネットワークへ、例えば基地局へＩＤＣ標識メッセージを送信し得る。この手法で、ＵＥは、ネットワークからの反応的なアクションを要しないはずの同じ又はわずかに修正されたＩＤＣ標識を単に送信するという状況でのＩＤＣ標識シグナリングを回避する。他方で、ＩＤＣ情報が変化した場合、ネットワークがその情報を実際上可能な程度に迅速に受信することが重要である。
【００４１】
例えばＩＤＣ干渉の被害を受けているキャリア周波数といったＦＤＭパラメータにより周波数が変更されることが予期されない場合、ＵＥは、前回のＩＤＣ標識を送信した後すぐに、他のＩＤＣ標識を送信しなくてもよいであろう。いくつかの非最適なＵＥの実装は、ＩＤＣ標識禁止タイマを迂回するために、干渉から被害を受けている境界周波数を継続的に変化させ得るが、これは、望ましくなく典型的には不必要なシグナリング負荷を生じさせる。よって、１つの例示的な実施形態において、ＵＥは、１つ以上の例えばＴＤＭパラメータといった時間ベースのパラメータが変化した場合に、ＩＤＣ標識禁止タイマに関わらずＩＤＣ標識を再送し、但しＦＤＭパラメータが変化した場合にはそうしない。ここで、ＵＥは不必要に時間ベースのパラメータを変化させないことが前提とされる。
【００４２】
いくつかの他のシナリオにおいて、周波数ベースのパラメータは相対的に頻繁に変化することが予期され得る一方で、時間ベースのパラメータはそうではない。これは、例えば、与干渉無線機が適応的な周波数ホッピングを使用し又は高頻度でその周波数を変化させる場合に生じ得る。そうしたケースにおいて、時間ベースのパラメータは、より長い期間にわたって実質的に同じままである可能性が高い。従って、ＵＥは、例えばＦＤＭパラメータといった周波数ベースのパラメータが変化した場合に、ＩＤＣ標識禁止タイマに関わらずネットワークへＩＤＣ標識を再送してよく、但し例えばＴＤＭパラメータといった時間ベースのパラメータが変化した場合にはそうしない。
【００４３】
ネットワークは、例えばＴＤＭパラメータが変化した場合にのみ、又はＦＤＭパラメータが変化した場合にのみ、更新されたＩＤＣ標識メッセージを送信することをＵＥが許可されるというシナリオに構成し得る。さらに、ＵＥがパラメータを変化させる頻度が高過ぎる場合、ネットワークは、ＩＤＣ標識シグナリングの負荷を制御するために、ＩＤＣ構成を解放し又は無効化（override）することができる。
【００４４】
他の非限定的な例としての実施形態は、ハンドオーバ（ＨＯ）後にＩＤＣ標識を送信し、即ち、ＵＥはハンドオーバ（ＨＯ）後にＩＤＣ標識を送信する。この例について、禁止タイマに関わらず、前回の標識と同じ内容を有するＩＤＣ標識を送信することは、許可されないものとされてもよい。異なる言い方をすれば、この例について、従来技術におけるＵＥは、概して、禁止タイマに関わらず、前回の標識と同じ内容を有するＩＤＣ標識を送信することを許可されない、ということが前提とされ得る。しかしながら、これ以降に説明する実施形態は必ずしも禁止タイマの使用を包含しないことも理解されるべきである。言い換えれば、これら実施形態を、禁止タイマを使用しないで実践するところまで落とし込むことができる。
【００４５】
ＵＥが新たなｅＮＢへのハンドオーバを実行する場合、ＩＤＣ支援情報をソースｅＮＢからターゲットｅＮＢへとＸ２インタフェース上で移管することが望ましい。しかし、これは常に可能というわけではない。
【００４６】
例えば、ＵＥがまず測定レポートをネットワークへ送信するシナリオを考慮されたい。測定レポートに基づいて、ソースｅＮＢは、ターゲットｅＮＢとのハンドオーバの準備を開始する。この準備の期間中に、ＵＥコンテキストに関するパラメータが、ソースノードからターゲットノードへと移管され、それにいくらかの時間を要し得る。ターゲットｅＮＢがハンドオーバを承認した後に、ソースｅＮＢは、ハンドオーバ指令（handover  command）をＵＥへ送信する。測定レポートとハンドオーバ指令との間の時間の間、ＵＥは、ソースｅＮＢへとＩＤＣ標識を送信するかもしれない（例えば、図３のステップ３０３参照）。しかしながら、ハンドオーバ準備（例えば、図３のステップ３０２参照）は既に開始しているため、直前に送信されたＩＤＣ標識内のパラメータは、ターゲットｅＮＢへ必ずしも移管されない。
【００４７】
図２にやはり概略的に示されている１つの例示的な実施形態において、この問題は、ＵＥが他のセルへのＨＯを実行した場合には前回のＩＤＣ標識メッセージにおけるものと同じ内容でＩＤＣ標識をＵＥが送信２０１することを許可することにより、解決される。
【００４８】
図３に示されている他の例示的な実施形態において、ＵＥは、前回の測定レポートが送信３０１された後にソースｅＮＢへＩＤＣ標識を送信３０３した場合には、ターゲットセルにおいて、前回のメッセージにおけるものと同じ内容でＩＤＣ標識を送信３０５する。
【００４９】
前回の例示的な実施形態の変形例において、ＵＥは、ハンドオーバ指令を受信３０４した時よりも最大でＸ秒前にソースｅＮＢへＩＤＣ標識を送信３０３した場合に、ターゲットセルにおいて、前回のＩＤＣ標識メッセージにおけるものと同じ内容でＩＤＣ標識を送信３０５し得る。時間Ｘを、固定的な時間とし、又は例えばネットワークにより構成可能な時間とすることができる。時間Ｘは、例えば、１秒であってもよい。その代わりに、時間Ｘは、０．５、０．７５、１．２５、１．５又は２秒といった他の値をとってもよい。
【００５０】
理解されるように、ＩＤＣ標識メッセージは、適切であって必要とされる場合にネットワークへ転送され、但しそれは同時に、不必要なシグナリングを回避して無線リソース及び処理リソースを節約するように効率的になされ得る。また、図２及び図３にそれぞれ示した実施形態は、ターゲットｅＮＢが正確なＩＤＣ情報を受信することを保証することを可能とし得る。ＵＥが提案されたようにＩＤＣ標識メッセージを再送しなければ、前述したようにハンドオーバ準備は開始済みであり前回送信されたＩＤＣ標識内のパラメータはソースｅＮＢからターゲットｅＮＢへと必ずしも移管されていないかもしれないため、ターゲットｅＮＢが不正確な情報を有する潜在的なリスクがある。そうしたシナリオでは、ＵＥは、よって、ターゲットｅＮＢが不正確な情報を有することから、ＩＤＣ干渉を経験し続けるリスクを有するはずである。
【００５１】
図４に、上述した例示的な実施形態において使用可能な例えばｅＮＢである基地局を示す機能ブロック図が提供されている。基地局は、当該基地局の動作を制御する１つ以上のデータプロセッサ１２を含む。１つ以上のデータプロセッサ１２は、無線回路２０へ接続され、無線回路２０は、ユーザ機器（ＵＥ）といった他の無線ノードとの間で信号を送信し及び信号を受信するために使用される、関連付けられるアンテナ２４ａ…２４ｎを伴う複数の無線送受信機２２を含む。基地局は、１つ以上のデータプロセッサ１２へ接続される１つ以上のメモリ１４をも含み、メモリ１４は、基地局の動作のために要する、上述した機能を実装するプログラム１６並びに他の情報及びデータ１８を記憶する。基地局は、当該基地局が他の基地局及び／又は他のネットワークノードと情報を交換することを可能とするためのコンポーネント及び／又は回路２６をも含む。
【００５２】
図５に、上述した例示的な実施形態において使用可能なＵＥ３０を示す機能ブロック図が提供されている。ＵＥ３０は、ＵＥ３０の動作を制御する１つ以上のデータプロセッサ３２を伴うコントローラ３１を含む。１つ以上のデータプロセッサ１２は、複数の無線送受信機４０Ａ、４０Ｂ、４０Ｃ、…、４０Ｎへ接続され、それらは、基地局といった他の無線ノードとの間で信号を送信し及び信号を受信するために使用される１つ以上のアンテナ４４ａ…４４ｎへ選択的に連結され得る。ＵＥコントローラ３１は、１つ以上のデータプロセッサ３２へ接続される１つ以上のメモリ３４をも含み、メモリ３４は、ＵＥ３０の動作のために要する、上述したＵＥの機能を実装するプログラム３６並びに他の情報及びデータ３８を記憶する。ＵＥ３０は、いつＩＤＣ標識メッセージを送信し得るかを判定するために、他のファクタと共にコントローラ３１により使用される、ＩＤＣ干渉標識禁止タイマ４８をも含む。ユーザが情報を引き出し、受信し、記憶し及び送信することを可能とするために、１つ以上のユーザインタフェース４６がさらに提供される。
【００５３】
より具体的には、ユーザ機器であるＵＥ３０は、１つ以上のデータプロセッサ３２と、上記１つ以上のデータプロセッサへ接続される１つ以上のメモリ３４とを伴うコントローラ３１を備え、上記１つ以上のメモリ３４は、上記１つ以上のデータプロセッサ３２において実行されると、上記ＵＥ３０に、上記ＵＥが他のセルへのハンドオーバを実行した場合にＩＤＣ標識メッセージを前回送信されたＩＤＣ標識メッセージにおけるものと同じ内容で送信するようにさせる、プログラム３６並びに他の情報及びデータ３８を記憶する。上記１つ以上のメモリ３４は、上記１つ以上のデータプロセッサ３２において実行されると、上記ＵＥ３０に、前回の測定レポートが送信された後に上記ＵＥがソース拡張ＮｏｄｅＢ（ｅＮＢ）へ上記ＩＤＣ標識メッセージを送信した場合に、ターゲットセルにおいて、上記前回送信されたＩＤＣ標識メッセージにおけるものと同じ内容で上記ＩＤＣ標識メッセージを送信するようにさせる、プログラム３６並びに他の情報及びデータ３８を記憶してもよい。さらに、上記１つ以上のメモリ３４は、上記１つ以上のデータプロセッサ３２において実行されると、上記ＵＥ３０に、上記ＵＥによるハンドオーバ指令の受信前のある最大秒数内に上記ＵＥがソースｅＮＢへ上記ＩＤＣ標識メッセージを送信した場合に、ターゲットセルにおいて、上記前回送信されたＩＤＣ標識メッセージにおけるものと同じ内容で上記ＩＤＣ標識メッセージを送信するようにさせる、プログラム３６並びに他の情報及びデータ３８を記憶してもよい。あらためて言うと、上記最大秒数とは、固定的な時間であってもよい。その代わりに、上記最大秒数とは、構成可能な時間であってもよい。その時間は、例えば、０．５、０．７５、１、１．２５、１．５又は２秒であってもよい。
【００５４】
さらにまた、１つ以上のメモリ３４は、上記１つ以上のデータプロセッサ３２において実行されると、上記ＵＥ３０に、時間パラメータ（例えば、ＴＤＭパラメータ）又は周波数パラメータ（例えば、ＦＤＭパラメータ）が変化した場合に、ＩＤＣ標識メッセージを、ネットワーク（例えば、基地局）へと送信するようにさせる、プログラム３６並びに他の情報及びデータ３８を記憶してもよい。
【００５５】
さらに、１つ以上のメモリ３４は、上記１つ以上のデータプロセッサ３２において実行されると、上記ＵＥ３０に、ＩＤＣ標識禁止タイマ４８に関わらずＩＤＣ標識メッセージを再送するようにさせる、プログラム３６並びに他の情報及びデータ３８を記憶してもよい。例えば、１つ以上のメモリ３４は、上記１つ以上のデータプロセッサ３２において実行されると、上記ＵＥ３０に、１つ以上の時間パラメータ（例えば、ＴＤＭパラメータ）が変化した場合に、ＩＤＣ標識禁止タイマに関わらずＩＤＣ標識メッセージを再送し、但し周波数パラメータ（例えば、ＦＤＭパラメータ）が変化した場合にはそうしないこと、をさせる、プログラム３６並びに他の情報及びデータ３８を記憶してもよい。代替的に、１つ以上のメモリ３４は、上記１つ以上のデータプロセッサ３２において実行されると、上記ＵＥ３０に、１つ以上の周波数パラメータ（例えば、ＦＤＭパラメータ）が変化した場合に、ＩＤＣ標識禁止タイマに関わらずＩＤＣ標識メッセージを再送し、但し時間パラメータ（例えば、ＴＤＭパラメータ）が変化した場合にはそうしないこと、をさせる、プログラム３６並びに他の情報及びデータ３８を記憶してもよい。
【００５６】
本開示を通じて説明した技術は、多くの利点を含む。例えば、ＩＤＣ標識メッセージが適切かつ必要とされるときにネットワークへ転送され、但しそれは同時に、不必要なシグナリングを回避して無線リソース及び処理リソースを節約するように効率的になされ得る。実施形態のいくつかは、ターゲットｅＮＢが正確なＩＤＣ情報を受信することを保証することをも可能とし得る。
【００５７】
上の説明は多くの細目を含んでいるが、それらは限定として解釈されるべきではなく、いくつかの現時点で好適な実施形態の例示を提供するにすぎない。ここで説明した実施形態は、独立的な実施形態として考慮されてもよく、又は非限定的な例を説明するための互いのいかなる組合せにおいて考慮されてもよい。本技術の非限定的で例示的な実施形態はＥＵＴＲＡＮの文脈において説明されたが、説明された本技術の原理は、例えばＵＴＲＡＮといった他の無線アクセス技術にも適用されてよい。実際、本技術は、当業者にとって明白となり得る他の実施形態を完全に包含する。単数形のエレメントへの言及は、そのように明示的に記述しない限り、“１つであって唯１つ”を意味することを意図せず、むしろ“１つ以上”を意味する。当業者に知られる上述した実施形態のエレメントの全ての構造的及び機能的な均等物は、参照により明確にここに取り入れられ、ここに包含されることが意図される。その上、デバイス又は方法は、説明した技術により解決されるものとされるあらゆる問題を解決しなければならないわけではなく、それもここに包含される。
【図１】
0005893228.tif 000002
【図２】
0005893228.tif 000003
【図３】
0005893228.tif 000004
【図４】
0005893228.tif 000005
【図５】
0005893228.tif 000006